【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
複数のオブジェクトを表現するためのコンピューター化された方法であって、
階層構造を有する分類内で複数の分類の種類を定義するステップであって、前記分類は、対応する関連付けと共に複数のオブジェクトを表現するための前記複数の分類の種類を仕分けするための包括的な構造を定義するステップと、
仕分けされたオブジェクトと１または複数の他の関連オブジェクトとの関係に基づく少なくとも１つの前記分類の種類に従ってオブジェクトを仕分けするステップと、
前記仕分けされたオブジェクトの前記分類の種類に第１の参照を関連付けるステップであって、前記第１の参照は、前記仕分けされたオブジェクトによって表現された実際の物を特定するステップと、
コンピューティング装置のプロセッサーによって、前記階層構造の中の前記分類の種類と同じ階層構造レベルで前記仕分けされたオブジェクトの分類の種類の中に組み込まれる第１のデータセットを生成するステップであって、前記第１のデータセットは、前記仕分けされたオブジェクトの第１のタグであり、前記仕分けされたオブジェクトよりも前記階層構造の中で高位に配置される１または複数の関連オブジェクトのセットを特定するステップと、
前記コンピューティング装置の前記プロセッサーによって、前記階層構造の中の前記分類の種類と同じ階層構造レベルで前記仕分けされたオブジェクトの分類の種類の中に組み込まれる第２のデータセットを生成するステップであって、前記第２のデータセットは、前記仕分けされたオブジェクトの第２のタグであり、前記仕分けされたオブジェクトよりも前記階層構造の中で低位に配置される１または複数の関連オブジェクトのセットを特定するステップと、
前記複数のオブジェクトにアクセスするために、ユーザに前記包括的な構造を提供するステップと
を備えることを特徴とする方法。
【請求項２】
ユーザからのクエリに応答して、前記仕分けされたオブジェクトの情報と、前記仕分けされたオブジェクトの分類の種類の中の前記第１のデータセット及び前記第２のデータセットの情報とを提供するステップをさらに備えることを特徴とする請求項１に記載のコンピューター化された方法。
【請求項３】
前記情報を提供するステップは、前記仕分けされたオブジェクトの分類の種類の単一の例を具体化するステップを含み、
前記オブジェクトは、前記仕分けされたオブジェクトの情報と前記第１のデータセット及び前記第２のデータセットの中で表わされた情報とを含む
ことを特徴とする請求項２に記載のコンピューター化された方法。
【請求項４】
前記第１のデータセットは、１または複数のデータフィールドを含み、
前記第１のデータセットを生成するステップは、前記仕分けされたオブジェクトよりも階層構造において高位に配置された１または複数の関連オブジェクトの各々のセットに関連する情報を前記データフィールドに格納するステップを含む
ことを特徴とする請求項１に記載のコンピューター化された方法。
【請求項５】
前記第２のデータセットは、１または複数のデータフィールドを含み、
前記第２のデータセットを生成するステップは、前記仕分けされたオブジェクトよりも階層構造において低位に配置された１または複数の関連オブジェクトの各々のセットに関連する情報を前記データフィールドに格納するステップを含む
ことを特徴とする請求項１に記載のコンピューター化された方法。
【請求項６】
前記第１のデータセットを生成するステップは、前記仕分けされたオブジェクトよりも階層構造において高位に配置された１または複数の関連オブジェクトの各々のセットを特定するために、前記仕分けされたオブジェクトの分類の種類の参照を格納するステップを含む
ことを特徴とする請求項１に記載のコンピューター化された方法。
【請求項７】
前記第２のデータセットを生成するステップは、前記仕分けされたオブジェクトより階層構造において低位に配置された１または複数の関連オブジェクトの各々のセットを特定するために、前記仕分けされたオブジェクトの分類の種類の参照を格納するステップを含む
ことを特徴とする請求項１に記載のコンピューター化された方法。
【請求項８】
請求項１に記載のコンピューター化された方法を実行するためのコンピューターで実行可能な命令を有する１または複数のコンピューター可読媒体を備えたことを特徴とする請求項１に記載のコンピューター化された方法。
【請求項９】
複数のオブジェクトを表現するためのシステムであって、
階層構造を有する複数の分類の種類に関連するデータを格納するための記憶領域と、
コンピューターで実行可能な命令を実行するように構成されるプロセッサーとを備え、
前記プロセッサーは、
複数の分類の種類を定義し、
仕分けされたオブジェクトと１または複数の他の関連オブジェクトとの関連性に基づく少なくとも１の分類の種類に従ってオブジェクトを仕分けし、
前記仕分けされたオブジェクトに関連する情報を前記記憶領域に格納し、
第１の参照を前記仕分けされたオブジェクトの前記分類の種類に関連付けることであって、前記第１の参照は、前記仕分けされたオブジェクトによって表現された実際の物を特定し、
前記階層構造の中の前記分類の種類と同じ階層構造レベルで前記仕分けされたオブジェクトの分類の種類の中に組み込まれる第１のデータセットを生成することであって、前記第１のデータセットは、前記仕分けされたオブジェクトよりも前記階層構造の中で高位に配置される１または複数の関連オブジェクトのセットを特定し、
前記階層構造の中の前記分類の種類と同じ階層構造レベルで前記仕分けされたオブジェクトの分類の種類の中に組み込まれる第２のデータセットを生成することであって、前記第２のデータセットは、前記仕分けされたオブジェクトよりも前記階層構造の中で低位に配置される１または複数の関連オブジェクトのセットを特定し、
前記複数のオブジェクトにアクセスするために、ユーザに包括的な構造を提供する
ことを特徴とするシステム。
【請求項１０】
前記仕分けされたオブジェクトの情報と前記第１のデータセット及び第２のデータセットの中で表現された情報とを含む前記仕分けされたオブジェクトの分類の種類の単一の例を作成するためのインターフェースをさらに備えることを特徴とする請求項９に記載のシステム。
【請求項１１】
前記インターフェースは、前記仕分けされたオブジェクトの情報と前記第１のデータセット及び第２のデータセットの中の単一の例で表現された情報とを提供するように構成されることを特徴とする請求項１０に記載のシステム。
【請求項１２】
前記第１のデータセットは、番号付きリストを備えることを特徴とする請求項９に記載のシステム。
【請求項１３】
前記第２のデータセットは、前記仕分けされたオブジェクトより前記階層構造において低位に配置された１または複数の関連オブジェクトの各々のセットに関連する情報を格納するための１または複数のデータフィールドを備えることを特徴とする請求項９に記載のシステム。
【請求項１４】
前記第１のデータセットは、前記仕分けされたオブジェクトより前記階層構造において高位に配置された１または複数の関連オブジェクトの各々のセットを特定するための参照を備え、前記第２のデータセットは、前記仕分けされたオブジェクトより前記階層構造において低位に配置された１または複数の関連オブジェクトの各々のセットを特定するための参照を備える、ことを特徴とする請求項９に記載のシステム。
【請求項１５】
前記プロセッサーは、ハードウェアの分類構造において複数の分類の種類を定義するように構成され、前記第１のデータセットは、前記仕分けされたオブジェクトより前記ハードウェアの分類構造において高位に配置された１または複数の関連オブジェクトのセットを特定し、前記第２のデータセットは、前記仕分けされたオブジェクトより前記ハードウェアの分類構造において低位に配置された１または複数の関連オブジェクトのセットを特定する、ことを特徴とする請求項９に記載のシステム。